(57)【特許請求の範囲】
【請求項１】
基材の両面に易剥離接着層を設けた積層体の両側部を表裏両面側にそれぞれ折り畳んでこの折り畳み部内にそれぞれ一列の錠剤を他方の列と対応させて収納し、前記表裏の折り畳み部の側縁を残して平袋状に固着する縦熱封緘帯と、この縦熱封緘帯に交差して対応する一対の錠剤を隣接する一対の錠剤と分離する横熱封緘帯を設けたストリップパック。
【請求項２】
基材の両面に易剥離接着層を設けた積層体の両側部を一面側にそれぞれ折り畳んでこの折り畳み部内にそれぞれ一列の錠剤を他方の列と対応させて収納し、前記折り畳み部の側部をそれぞれ外側に折り返した状態でその側縁を残して平袋状に折り返し部を固着する縦熱封緘帯と、この縦熱封緘帯に交差して対応する一対の錠剤を隣接する一対の錠剤と分離する横熱封緘帯を設けたストリップパック。
【請求項３】
前記積層体が引き裂き強度の大きい材料から成る請求項１又は２に記載のストリップパック。
【請求項４】
前記易剥離接着層がイージーピール性を有する熱可塑性接着剤より成る請求項１又は２に記載のストリップパック。
【請求項５】
前記易剥離接着層が接着強度の弱い樹脂層と熱可塑性接着剤層より成る請求項１又は２に記載のストリップパック。
【請求項６】
前記折り畳み部の側縁の自由端にタブが設けられた請求項１又は２に記載のストリップパック。
【請求項７】
前記横熱封緘帯のほぼ中心線に沿ってミシン目が設けられた請求項１又は２に記載のストリップパック。
【請求項８】
前記縦熱封緘帯のほぼ中心線に沿ってミシン目が設けられた請求項２に記載のストリップパック。
【発明の詳細な説明】
【０００１】
【発明の技術分野】
この発明は、錠剤などを個別に包装するストリップパックに関する。
【０００２】
【従来の技術】
錠剤の一般的な個別包装形態としては、プレススルーパックとストリップパック（Ｓｔｒｉｐ  Ｐａｃｋ）がある。前者は、指で錠剤を押し出すことによって包装体を破壊し錠剤を取り出すようにしているが、後者は個々の包装体を手で引き裂くか鋏等で切断して錠剤を取り出している。
【０００３】
【発明の課題】
ところで、この種の包装形態においては、できるだけ容易に錠剤を取り出すことができるよう、特に引き裂き性の良好な包装材を使用しているため、幼児も年少者でも簡単に開封することが可能である。一方錠剤の中には、幼児が摂取すると不都合なものもあり、所謂チャイルドプルーフ（Ｃｈｉｌｄ  Ｐｒｏｏｆ）と呼ばれる開封防止手段を施したものが現れている。
【０００４】
しかしながら、引き裂くことが困難な材料をストリップパックに用いると、鋏等がない場合、成人でも開封できないことになり、ストリップパック本来の利便性、即ち携帯に便利で何時でも何処でも使用できるという利便性が無くなる。
【０００５】
そこで、この発明の課題は、引き裂き強度の大きい材料を使用しても簡単に開封可能なストリップパックを提供することである。
【０００６】
【課題の解決手段】
上記の課題を解決するために、第１の発明においては、基材の両面に易剥離接着層を設けた積層体の両側部を表裏両面側にそれぞれ折り畳んでこの折り畳み部内にそれぞれ一列の錠剤を他方の列と対応させて収納し、前記表裏の折り畳み部の側縁を残して平袋状に固着する縦熱封緘帯と、この縦熱封緘帯に交差して対応する一対の錠剤を隣接する一対の錠剤と分離する横熱封緘帯を設けた構成を採用したのである。
【０００７】
また、第２の発明においては、基材の両面に易剥離接着層を設けた積層体の両側部を一面側にそれぞれ折り畳んでこの折り畳み部内にそれぞれ一列の錠剤を他方の列と対応させて収納し、前記折り畳み部の側部をそれぞれ外側に折り返した状態でその側縁を残して平袋状に折り返し部を固着する縦熱封緘帯と、この縦熱封緘帯に交差して対応する一対の錠剤を隣接する一対の錠剤と分離する横熱封緘帯を設けたのである。
【０００８】
【実施の形態】
以下、この発明の実施形態を添付図面に基づいて説明する。図１は、この発明のストリップパックに用いる積層体を示す。図示のように積層体１は、基材１０の両面に易剥離接着層１１、１２を設けたものである。前記基材１０は、ポリエチレン、ポリプロピレン、ポリエステル等の合成樹脂フィルムの単体又はそれらの複合体、或はアルミニウム箔のような金属箔単体又は金属箔と前記合成樹脂フィルムとの複合体、紙と合成樹脂フィルムとの複合体などから成る。前記易剥離接着層１１、１２は、後述するように互にヒートシールしたとき手で剥離可能な程度の接着強度を有する層であって、双方共にイージーピール性を有する接着剤で形成してもよく、或は図２に示すように、一方の層１１をシリコーン樹脂、テフロン（商標名）樹脂、ポリアミド樹脂等の接着性の弱い樹脂層１１ａと通常の熱可塑性接着剤層１１ｂによって形成し、他方の層１２はイージーピール性を有する接着剤で形成してもよい。さらに図３に示すように、層１１、１２共に接着性の弱い樹脂層１１ａ、１２ａと通常の熱可塑性接着剤１１ｂ、１２ｂで形成することもできる。また、基材１０自体の接着性が弱ければ、層１１ａ、１２ａを省略できる。なお、図４及び図５に示すように、層１１、１２は、基材１０の全面に設ける必要はなく、パートコートによって必要な個所のみに設けることができる。
【０００９】
上記基材１０と易剥離接着層１１、１２の積層方法は、フィルムの貼り合せ、ロールコート、押し出しコート等のいずれであってもよい。そして積層体１の引き裂き強度を高め、幼児等が簡単に引き裂くことができないようにしておくのが好ましい。
【００１０】
上述のような積層体１を用いて、図６及び図７に示すようなストリップパックを形成する。ストリップパック２０の形成方法の一例を次に説明する。まず、積層体１を垂直方向に送りながら、積層体１の一面中央から側縁寄りの部分を長さ方向に順次折り畳み筒状の錠剤収納部１３ａを形成し、同様に積層体１の他面中央から側縁寄りの部分を順次折り畳み筒状の収納部１３ｂを形成する。この収納部１３ａ、１３ｂが形成されると同時にそれぞれに錠剤Ｔを１錠ずつ投入し、さらに３重に重なり合った中央部に縦熱封緘帯２１を形成して行く。これによって両側に錠剤Ｔを収納した筒状収納部１３ａ、１３ｂが形成されるので、１錠ずつの投入が終了する毎に横熱封緘帯２２を順次形成して行く。これによって各錠剤Ｔは縦横の熱封緘帯２１、２２によって隔離され平袋状収納部に密封された状態になる。このストリップパック２０の横封緘帯２２のほぼ中心線に貫通ミシン目２３を設けておくと、このミシン目２３に沿って引き裂くことにより、一対の錠剤Ｔを収納した包装体に分割することができる。この包装体を開封するには、自由端になっている側縁部２４を指でつまみ引き上げると、縦横の熱封緘帯２１、２２が易剥離接着層１１、１２によって形成されているので、容易に剥離することができ、錠剤Ｔを取り出すことができる。しかしながら、側縁部２４の両端は、隣接する横熱封緘帯２２によって固着され包装体の外面にぴったりと密着しているため、小児には見分けがつかず、つまむのが困難でチャイルドプルーフ性が高い。なお、老人等で側縁部２４をつまむのが困難な場合には、図８のように、タブ２４ａを設けておいてもよい。
【００１１】
図９及び図１０に示すように、積層体１の中央両側に錠剤Ｔを２列に配列し、積層体１の両側部を折り畳んで錠剤Ｔを被い、さらに外側に折り返して前述と同様の縦熱封緘帯２１を形成し、これに交差する横熱封緘帯２２を形成する。このストリップパック２０ａの場合には、縦熱封緘帯２１の中央に分割用ミシン目２５を形成することができる（図６、図７のストリップパック２０では不可能）。従って単一の錠剤Ｔを収納した包装体に分割することができる。開封する場合には、図９の鎖線で示すようにタブ２４ａを指で持ち上げながら両側の横熱封緘帯２２を剥離して行き、図のようにほぼ垂直になった状態で逆方向（図の右側）に引張ると錠剤Ｔを被っている積層体１が剥離し、錠剤を取り出すことができる。
【００１２】
【効果】
この発明によれば、以上のように、易剥離接着層を基材の両面に設けた積層体によって錠剤を平袋状に包むように収納し、積層体の側縁を残して錠剤を囲むように縦横の熱封緘帯を設けたので、積層体自体は引き裂き強度の大きい材料で形成してチャイルドプルーフ性を高めることができる一方、前記熱封緘されていない側縁部から剥離して錠剤を取り出すことができるので、特に鋏等がなくても簡単に開封可能である。しかも、側縁部はストリップパックの外面に密着しているため、成人では容易に指でつまむことができるが幼小児では困難であるため、チャイルドプルーフ性をさらに高めている。
【図面の簡単な説明】
【図１】この発明のストリップパックの積層体を示す断面図
【図２】積層体の他の例を示す断面図
【図３】積層体のさらに他の例を示す断面図
【図４】積層体のまたさらに他の例を示す断面図
【図５】同上の平面図
【図６】ストリップパックの一例を示す横断面図
【図７】同上の平面図
【図８】ストリップパックの他の例を示す平面図
【図９】ストリップパックのさらに他の例を示す横断面図
【図１０】同上の平面図
【符号の説明】
１  積層体
１０  基材
１１、１２  易剥離接着層
１１ａ、１２ａ  接着性の弱い樹脂層
１１ｂ、１２ｂ  接着剤層
１３ａ、１３ｂ  収納部
２０、２０ａ    ストリップパック
２１  縦熱封緘帯
２２  横熱封緘帯
２３  ミシン目
２４  側縁部
２４ａ  タブ
２５  ミシン目
Ｔ  錠剤
【図１】
0004082774.tif 000002
【図２】
0004082774.tif 000003
【図３】
0004082774.tif 000004
【図４】
0004082774.tif 000005
【図５】
0004082774.tif 000006
【図６】
0004082774.tif 000007
【図７】
0004082774.tif 000008
【図８】
0004082774.tif 000009
【図９】
0004082774.tif 000010
【図１０】
0004082774.tif 000011